(57)【要約】【課題】一人でもスタンドをディスプレイに固定させて組み立てることが可能な薄型表示装置を提供する。【解決手段】脚部８０は、ディスプレイの下方に取り付けられて、底面が略矩形状のスタンド柱７０と、スタンド柱の底面の外周と略同一形状の開口を備える凹部６４を有し、凹部６４の開口にスタンド柱７０の底面側の端部を挿入させてディスプレイに取り付けられるスタンドベース６０とを有する。スタンドベース６０は、スタンド柱７０に取り付けられた状態で、ディスプレイの表示面側を前面側とし前記表示面と反対側を背面とした場合に、ディスプレイの前面及び背面より前後に突出した形状であって、凹部６４における内壁と、凹部に前記スタンド柱の底面側先端が挿入された状態で内壁と対向する同スタンド柱７０の外周面とに、互いに係合する係合部位６５，７２が形成されている。【選択図】図７
2009265226.tif 000002
【特許請求の範囲】
【請求項１】
映像を表示するための厚みの薄いディスプレイと、このディスプレイの下方に取り付けられる脚部とを有する薄型表示装置において、
前記脚部は、
前記ディスプレイの下方から延設するよう取り付けられる、底面が略矩形状のスタンド柱と、
前記スタンド柱の底面の外周と略同一形状の開口を備える凹部を有し、前記凹部の開口から前記スタンド柱の底面側の端部を挿入させて前記ディスプレイに取り付けられるスタンドベースとを有し、
前記スタンドベースは、前記スタンド柱に取り付けられた状態で、前記ディスプレイの表示面側を前面とし前記表示面と反対側の面を背面とした場合に、前記ディスプレイの前面及び背面より前後に突出した形状であって、
前記凹部における内壁には、扁平状に突出した突部が形成され、
前記凹部に前記スタンド柱の底面側先端が挿入された状態で前記内壁と対向する同スタンド柱の外周面には、前記突部が挿入する係合溝が形成されていることを特徴とする薄型表示装置。
【請求項２】
前記スタンドベースは、その底面を形成する金属製の薄板部材と、
底面が開口したフード形状であって、前記薄板部材を前記底面の開口より挿入して同薄板部材を覆うよう前記薄板部材に固定されるスタンドカバーとで構成され、
前記凹部の開口は、前記スタンドカバーの天面側に形成されていることを特徴とする請求項１に記載の薄型表示装置。
【請求項３】
前記突部は、前記凹部の内壁における扁平状に突出した部位の下方から突出した板状片であって、同扁平状に突出した部位とで断面がＴ字状となるよう構成された補強用のリブを備えていることを特徴とする請求項１又は請求項２のいずれかに記載の薄型表示装置。
【請求項４】
前記スタンドベースは、
同スタンドベースの底面を形成する薄板状の基部と、この基部から略垂直に延設して、前記スタンド柱と同スタンドベースを供締めするためのねじ部品のねじ部が貫通するボス部とを備える金属製の薄板部材と、
底面が開口したフード形状であって、前記底面の開口より前記薄板部材を覆うよう同薄板部材と固定されて、前記スタンドベースの外形を形成するスタンドカバーとで構成され、
前記凹部の開口は、前記スタンドカバーの天面側に形成され、
前記突部は、前記凹部の内壁における扁平状に突出した部位の下方から突出した板状片であって、同扁平状に突出した部位とで断面がＴ字状となるよう構成された補強用のリブを備え、
前記スタンド柱は、前記補強用のリブが挿入するスリットを有することを特徴とする請求項１に記載の薄型表示装置。
【発明の詳細な説明】
【技術分野】
【０００１】
本発明は、映像を表示する薄型表示装置に関し、特にスタンドを有する薄型表示装置に関するものである。
【背景技術】
【０００２】
従来、薄型表示装置の中には、スタンドを用いて当該薄型表示装置を所定の位置に設置させるものが存在する。その一例として、ディスプレイの下方に延設するようディスプレイの背面側に固定されるスタンドを有する薄型表示装置が開示されている（例えば、特許文献１参照）。
【特許文献１】特開２００４−１１８１９１号公報
【発明の開示】
【発明が解決しようとする課題】
【０００３】
薄型表示装置は、スタンドをディスプレイから分離させて梱包箱等に収容して出荷される場合が多く、ユーザは小売店等で薄型表示装置を購入した後、ディスプレイとスタンドとを組み付ける必要がある。
図８は、ユーザがディスプレイとスタンドとを組み付ける状況を説明するイメージ図である。ユーザがディスプレイ１にスタンド２を取り付ける手順は以下の通りである。まず、ユーザは、梱包箱からディスプレイ１を取り出し、ディスプレイ１の表示面側を下方（上方）に向けて配置する。次に、スタンド２をディスプレイ１の底面側にセットする（図８（ａ））。そして、ユーザは、スタンド２とディスプレイ１との取り付け位置の関係を保持しつつ、スタンド２とディスプレイ１とを固定部材を用いて固定する（図８（ｂ））。
【０００４】
しかし、スタンドをディスプレイに取り付ける際に、ユーザはディスプレイ又はスタンドを手に持つなどしてスタンドとディスプレイとの位置関係を保持する必要があった。そのため、ユーザ一人では、スタンドをディスプレイに固定できない場合があった。つまり、スタンドとディスプレイとの位置関係を保持する役割を果たす者と、保持されたスタンドをディスプレイに固定部材等を用いて固定する役割を果たす者とが必要な場合があった。
【０００５】
本発明は、上記課題に鑑みてなされたもので、一人でもスタンドをディスプレイに固定させて組み立てることが可能な薄型表示装置を提供する。
【課題を解決するための手段】
【０００６】
上記課題を解決するために、本発明の一局面では、映像を表示するための厚みの薄いディスプレイと、このディスプレイの下方に取り付けられる脚部とを有する薄型表示装置において、前記脚部は、前記ディスプレイの下方から延設するよう取り付けられる、底面が略矩形状のスタンド柱と、前記スタンド柱の底面の外周と略同一形状の開口を備える凹部を有し、前記凹部の開口から前記スタンド柱の底面側の端部を挿入させて前記ディスプレイに取り付けられるスタンドベースとを有し、前記スタンドベースは、前記スタンド柱に取り付けられた状態で、前記ディスプレイの表示面側を前面とし前記表示面と反対側の面を背面とした場合に、前記ディスプレイの前面及び背面より前後に突出した形状であって、前記凹部における内壁には、扁平状に突出した突部が形成され、前記凹部に前記スタンド柱の底面側先端が挿入された状態で前記内壁と対向する同スタンド柱の外周面には、前記突部が挿入する係合溝が形成されている。
【０００７】
上記のように構成された発明では、脚部は、その底面が略矩形状のスタンド柱と、スタンド柱の底面の外周と略同一形状の開口を備える凹部を有し、凹部の開口からスタンド柱の底面を備える端部を挿入させてディスプレイに取り付けられるスタンドベースとを有している。また、スタンドベースは、ディスプレイの表示面側を前面とすると、スタンド柱に同スタンドベースが取り付けられた状態で、ディスプレイの前面及び背面より前後に突出した形状である。さらに、凹部における内壁には、扁平状に突出した突部が形成され、凹部にスタンド柱の底面側先端が挿入された状態で内壁と対向する同スタンド柱の外周面には、突部が挿入する係合溝が形成されている。
そのため、ディスプレイを表示面を上方（下方）に向けて配置し、スタンド柱の端部をスタンドベースの開口から凹部に挿入して固定する場合でも、スタンドベースとスタンド柱とが突部と係合溝により係合関係を保持するため、ユーザはスタンドベースとディスプレイとの位置関係を保持する必要がなくなる。そのため、ユーザは一人でも、スタンドベースをディスプレイに固定させることが可能となる。
【０００８】
好ましくは、前記スタンドベースは、その底面を形成する金属製の薄板部材と、底面が開口したフード形状であって、前記薄板部材を前記底面の開口より挿入して同薄板部材を覆うよう前記薄板部材に固定されるスタンドカバーとで構成され、前記凹部の開口は、前記スタンドカバーの天面側に形成されている。
【０００９】
好ましくは、前記突部は、前記凹部の内壁における扁平状に突出した部位の下方から突出した板状片であって、同扁平状に突出した部位とで断面がＴ字状となるよう構成された補強用のリブを備えている。
上記のように構成された発明では、突起に補強用のリブを備えるため、係合部位の強度を高めることができる。
【００１０】
本発明の他の局面として、前記スタンドベースは、同スタンドベースの底面を形成する薄板状の基部と、この基部から略垂直に延設して、前記スタンド柱と同スタンドベースを供締めするためのねじ部品のねじ部が貫通するボス部とを備える金属製の薄板部材と、底面が開口したフード形状であって、前記底面の開口より前記薄板部材を覆うよう同薄板部材と固定されて、前記スタンドベースの外形を形成するスタンドカバーとで構成され、前記凹部の開口は、前記スタンドカバーの天面側に形成され、前記突部は、前記凹部の内壁における扁平状に突出した部位の下方から突出した板状片であって、同扁平状に突出した部位とで断面がＴ字状となるよう構成された補強用のリブを備え、前記スタンド柱は、前記補強用のリブが挿入するスリットを有する。
【発明の効果】
【００１１】
以上説明したように請求項１及び請求項２に係る発明によれば、ユーザは、一人でもスタンドをディスプレイに固定させて組み立てることができる。
また、請求項３にかかる発明によれば、突起に補強用のリブを備えるため、係合部位の強度を高めることができる。
そして、請求項４のような、より具体的な構成において、上述した請求項１〜請求項３の各発明と同様の作用を奏することはいうまでもない。
【発明を実施するための最良の形態】
【００１２】
以下、図を参照しつつ下記の順序に従って本発明の実施形態を説明する。なお、図中同じ符号を付した箇所は同一又は同等の箇所であり、その説明は繰返さない。
１．第１の実施の形態：
２．その他の形態：
【００１３】
１．第１の実施の形態：
図１は、本発明に係る薄型表示装置の斜視図である。本発明に係る薄型表示装置は、映像を表示するための機能を備えるディスプレイ９０と、ディスプレイ９０の底面９０ａから延設するよう固定されたスタンド８０とを備えている。また、スタンド８０は、ディスプレイ９０の底面９０ａでこのディスプレイ９０に固定されるスタンド柱７０と、スタンド柱７０の下部に固定されるスタンドベース６０とで構成されている。
【００１４】
本発明に係る薄型表示装置１００は、スタンド柱７０がディスプレイ９０に取り付けられた状態で梱包箱等に梱包されており、スタンドベース６０をスタンド柱７０に固定して組み立てられる。このとき、ユーザは、ディスプレイ９０をその表示面を下方（上方）に向けるよう配置した状態で、スタンドベース６０をスタンド柱７０に固定する必要があり、スタンドベース６０とスタンド柱７０との位置関係を保持しつつ、ねじ部品等の固定部材で両者を固定する必要がある。そのため、本発明では、スタンド柱７０とスタンドベース６０とを係合させて両者の位置関係を保持し、ユーザがスタンドベース６０をスタンド柱７０を楽に取り付けられるようにしている。
【００１５】
ディスプレイ９０は、厚みの薄いに矩形形状であって、映像信号の供給を受けて映像を表示するための機能を備えている。ディスプレイ９０は、その内部に、図示しない外部機器等から供給された映像信号を受信し、この映像信号に基づいてディスプレイ９０に映像を表示するモジュールを備えている。また、薄型表示装置１００がテレビジョン受信機としての機能を備える場合は、ディスプレイ９０は、アンテナ（図示しない）が受信したテレビジョン放送信号を検波するチューナ部を備えている。
ディスプレイ９０は、映像を表示する機能を備えていればよいため、その種別としては液晶ディスプレイであっても、プラズマディスプレイであっても、又有機ディスプレイであってもよい。
【００１６】
スタンド８０は、ディスプレイ９０に固定された状態で、ディスプレイ９０の表示面を設置面に対して所定角度で配置する機能を備えている。スタンド８０は、薄型表示装置１００が設置される設置面と面接触してディスプレイ９０の画面の向きを保持する機能を備えるスタンドベース６０と、このスタンドベース６０とディスプレイ９０との間に介在するスタンド柱７０とを備えている。本実施の形態では、スタンド柱７０は、ディスプレイ９０の底面９０ａから延設するようディスプレイ９０に固定されている。また、スタンドベース６０は、スタンド柱７０にねじ部品を用いて着脱可能に固定されている。
【００１７】
図２は、薄型表示装置をスタンドベース６０を取外した状態で背面側から見た斜視図である。スタンド柱７０は、スタンドベース６０をディスプレイ９０に固定するための機能を備えている。スタンド柱７０は底面７０ａが矩形状の四角柱形状であって、その底面には同スタンド柱７０をスタンドベース６０に供締めするためのねじ部品が螺合する雌ねじ部７１，７１が形成されている。また、スタンド柱７０の背面７０ｂには、係合溝７２が形成されている。
【００１８】
係合溝７２は、スタンド柱７０の底面側の先端がスタンドベース６０の凹部（後述）に挿入した際、スタンドベース６０に形成された突起部（後述）が挿入して、スタンド柱７０とスタンドベース６０との位置関係を保持する機能を備えている。係合溝７２は、矩形の開口７２ａを備えるとともに、その内部における下面７２ｂには、下方に向けて配向した４個のスリット７３，７３，７３，７３が形成されている。
なお、係合溝７２，７２の形状はこれに限定されない。
【００１９】
図３は、スタンドベースをその一部を切断して示す斜視図である。また、図４は、スタンドベースの上面図である。更に、図５は、図４におけるＡ−Ａ断面でスタンドベースを切断して示す断面図である。
スタンドベース６０は、薄板状のスタンドフレーム（薄板部材）６１と、底面が開口したフード状であって、底面の開口からスタンドフレーム６１を挿入して、同スタンドフレーム６１を覆うようスタンドフレーム６１に固定されるスタンドカバー６２とで構成されている。また、スタンドベース６０は、薄型表示装置１００の自立を確実に支持できるよう、ディスプレイ９０に固定された状態でその前後方向の寸法が、ディスプレイ９０の前面及び背面より突出するよう形成されている。
【００２０】
スタンドフレーム６１は、薄板状の基部６１ａから略垂直の延設したボス部６３，６３を備えている。スタンドフレーム６１は、設置面と面接触して薄型表示装置１００の自立を支持する機能を備えている。また、スタンドフレーム６１は、ボス部６３，６３を貫通するねじ部品のねじ部をスタンド柱７０の雌ねじ部７１、７１と螺号させて、スタンドベース６０をスタンド柱７０に固定させる機能を備えている。
【００２１】
スタンドカバー６２は、底面６２ａが開口したフード形状であり、底面６２ａの開口からスタンドフレーム６１を覆うようスタンドフレーム６１に固定されて、スタンドベース６０の外観上の意匠を向上させる機能を備えている。また、スタンドカバー６２は、その天面６２ｂにスタンド柱７０の底面側先端が挿入する開口６４ａを備える凹部６４を備えている。この凹部６４の開口６４ａは、スタンド柱７０の底面７０ａの形状と略同一形状になるよう矩形状に形成されている。また、スタンドフレーム６１をスタンドカバー６２に固定した場合、ボス部６３，６３の先端部が開口６４ａから露出するよう配置される。
【００２２】
スタンドカバー６２における凹部６４を形成する背面側の内壁６４ｂには、この内壁６４ｂから略垂直に突設した扁平状の突部６５が形成されている。この突部６５は、スタンド柱７０の底面側先端を凹部６４に挿入させた際、スタンド柱７０の係合溝７２に挿入して係合する機能を備えている。また、突部６５の底面側には、内壁６４と突部６５の裏面とを連結させるよう板状に延設した４個の補強用のリブ６６，６６，６６，６６が形成されている。リブ６６，６６，６６，６６は、突部６５の強度を補強する機能を備えるものである。
【００２３】
望ましくは、スタンドカバーの開口６４ａは、突部６５の先端部から開口６４ａ前面までの寸法Ｄがスタンド柱７０の厚み寸法より若干短く、突部６５又は内壁６４ｂが可撓性を有していることが望ましい（図５）。これは、スタンド柱７０の底面側の先端を開口６４ａから凹部６４に挿入する際、突部６５又は内壁６４ｂを撓ませることでスタンド柱７０を凹部６４に挿入し易くするとともに、係合溝７２に挿入した突部６５が確実に係合状態を保持することができるようにするためである。
【００２４】
図６は、ディスプレイにスタンドベースを取り付ける方法を説明する流れ図である。まず、ユーザは、梱包箱（図示しない）からディスプレイ９０を取り出し、ディスプレイ９０を画面が下方に向くよう寝かせた状態で配置する（図６（ａ））。なお、ディスプレイ９０の底面９０ａにはすでに、スタンド柱７０が固定されているものとする。次に、ユーザはスタンドベース６０を梱包箱から取り出し、スタンド柱７０の底面側先端をスタンドベース６０の凹部６４に挿入する（図６（ｂ））。
【００２５】
図７は、スタンド柱７０の底面側先端をスタンドベース６０の凹部６４に挿入した状態で、その一部を拡大して示す断面図である。ユーザが、スタンド柱７０の底面側の端部を所定長さだけスタンドベース６０の凹部６４に挿入すると、スタンド柱７０の背面７０ｂに形成された係合溝７２，７２にスタンドベース６０の突部６５が挿入して、両者は係合する。同様に、各係合溝７２に形成されたスリット７３に、突部６５の下方に形成されたリブ６６が挿入する。
【００２６】
このとき、スタンドベース６０の前後方向の長さは、ディスプレイ９０の厚み寸法より長いため、図７（ｂ）に示すように、薄型表示装置１００は、ディスプレイ９０の表示面側の天面側先端及び、スタンドベース６０の表示面側の先端を支点として設置面と接する。また、ディスプレイ９０のスタンド柱７０が固定された側の部位には、自重により図中下向きの力が加わっている。更に、スタンドベース６０は底面側に重量のあるスタンドフレームが固定されているため、その底面側に重心が位置し、スタンドベース６０に対して図中右側又は左側のいずれかの方向に力が作用する。
そのため、スタンド柱７０とスタンドベース６０とには、スタンド柱７０の底面側先端が凹部６４に挿入した状態を解除するよう力が作用する。しかしなら、スタンド柱７０の係合溝７２と、スタンドベース６０の突部６５とが係合しているため、スタンド柱７０の底面７０ａが凹部６４から外れるのを抑制し、スタンドベース６０とスタンド柱７０との位置関係を保持する。
【００２７】
その後、図５（ｃ）に示すように、スタンドベース６０の底面側からねじ部品のねじ部を貫通させて、スタンドベース６０とスタンド柱７０とを供締めする。このとき、スタンドベース６０とスタンド柱７０とは、突部６５と係合溝７２との係合によりその位置関係を保っているため、ユーザはスタンドベース６０とスタンド柱７０とを手で支えるなどして、保持する必要がなくなる。スタンドベース６０をディスプレイ９０に固定した状態で、ユーザはディスプレイ９０を表示面が所定角度を向くよう起き上がらせるとともに、スタンドベース６０の底面を設置面に面接触させて、薄型表示装置１００を設置する。
以上説明したように、本発明によれば、ユーザは一人でもスタンドベース６０をディスプレイ９０に固定することが可能となる。 
【００２８】
２．その他の実施の形態：
スタンドベース６０及びスタンド柱７０における、突部６５と係合溝７２との位置関係は上記実施の形態に限定されるものではない。つまり、スタンド柱７０側に突部６５を形成し、スタンドベース６０側に係合溝７２が形成されるものであってもよい。
【００２９】
また、スタンドベース６０及びスタンド柱７０における、突部６５と係合溝７２との形状もこれに限定されない。つまり、突部６５と係合溝７２との係合の強さに合わせてその厚み及び個数を変更するものであってもよい。
【００３０】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００３１】
【図１】本発明に係る薄型表示装置の斜視図である。
【図２】薄型表示装置をスタンドベース６０を取外した状態で背面側から見た斜視図である。
【図３】スタンドベースをその一部を切断して示す斜視図である。
【図４】スタンドベースの上面図である。
【図５】図４におけるＡ−Ａ断面でスタンドベースを切断して示す断面図である。
【図６】ディスプレイにスタンドベースを取り付ける方法を説明する流れ図である。
【図７】スタンド柱７０の底面側先端をスタンドベース６０の凹部６４に挿入した状態で、その一部を拡大して示す断面図である。
【図８】ユーザがディスプレイとスタンドとを組み付ける状況を説明するイメージ図である。
【符号の説明】
【００３２】
６０…スタンドベース、６１…スタンドフレーム、６１ａ…基部、６２…スタンドカバー、６２ａ…底面、６２ｂ…天面、６３…ボス部、６４…凹部、６４ａ…開口、６４ｂ…内壁、６５…突部、６６…リブ、７０…スタンド柱、７０ａ…底面、７０ｂ…背面、７１…雌ねじ部、７２…係合溝、７２ａ…開口、７２ｂ…下面、７３…スリット、８０…スタンド、９０…ディスプレイ、９０ａ…底面、１００…薄型表示装置
【図１】
2009265226.tif 000003
【図２】
2009265226.tif 000004
【図３】
2009265226.tif 000005
【図４】
2009265226.tif 000006
【図５】
2009265226.tif 000007
【図６】
2009265226.tif 000008
【図７】
2009265226.tif 000009
【図８】
2009265226.tif 000010